(57)【特許請求の範囲】
【請求項１】
単一のハウジングに２個のスイッチ機構部を組み込んだ押釦スイッチのハウジングの押釦のある面側に設けた支持部に２個のピアノハンドルを取付けたピアノハンドルスイッチを取付け枠に取付け、取付け枠を、ＮＥＭＡ規格において分類されるＢＳタイプの埋め込みボックスに対応する第１の取付け部とＮＥＭＡ規格において分類されるＣタイプの規格に適応した第２の取付け部とを有する配線器具プレート枠に取付け、
上記第１の取付け部を、中央部が開口部となった四角枠状をした配線器具プレート枠の対向する辺にそれぞれ、ＢＳタイプの埋め込みボックスの開口縁に設けたねじ孔に螺合したねじを緩めた状態で該ねじの頭部を入れることができる大径孔と、該大径孔に連通し大径孔に入れたねじの軸部が嵌め込まれてねじ締めするための弧状孔とで構成し、
上記第２の取付け部を、配線器具プレート枠の対応する辺の下面部にそれぞれ突部を突設し、突部の内面部側に凹部を形成し、凹部の底面部に内側に行くにしたがって背方となるように下り傾斜した傾斜面を設け、傾斜面に連通するように突部に内外に連通する孔を設け、傾斜面に突部に設けたねじ孔を開口させ、孔にヘ字状をした取付け金具の一片を差し込んで該一片に設けた挿入孔に挿入したねじを上記ねじ孔に螺合し、ねじを緩めることでねじの頭部が上記一片を押圧せず且つねじを締め付けることで頭部により一片を傾斜面に押圧して他片を外方に突出させるように構成し
て成ることを特徴とするピアノハンドルスイッチ装置。
【発明の詳細な説明】
【０００１】
【産業上の利用分野】
本発明はピアノハンドルスイッチ装置に関するものである。
【０００２】
【従来の技術】
従来からピアノハンドル操作により操作するピアノハンドルスイッチが知られている。従来のピアノハンドルスイッチは上下方向のモジュールが２３ｍｍであり、２個使用しようとすれば４６ｍｍとなり、ＮＥＭＡ規格で分類されたＣタイプの規格（ヨーロッパ及びヨーロッパの旧植民地の規格）の埋め込みボックスにはサイズが大きすぎて取付けることができなかった。
【０００３】
【発明が解決しようとする課題】
本発明は上記の従来例の問題点を解決することを目的とするものであって、その目的とするところは、２つのハンドルスイッチ機構部を備えながら上下方向の寸法を短くできてＣタイプの埋め込みボックスにも対応できるようにするピアノハンドルスイッチ装置を提供するにある。
【０００４】
【課題を解決するための手段】
本発明のピアノハンドルスイッチ装置は、単一のハウジングＡに２個のスイッチ機構部Ｂを組み込んだ押釦スイッチ１０５のハウジングＡの押釦１３２のある面側に設けた支持部に２個のピアノハンドル１４３を取付けたピアノハンドルスイッチを取付け枠４０に取付け、取付け枠４０を、ＮＥＭＡ規格において分類されるＢＳタイプの埋め込みボックス４５に対応する第１の取付け部２とＮＥＭＡ規格において分類されるＣタイプの規格に適応した第２の取付け部とを有する配線器具プレート枠１に取付け、上記第１の取付け部２を、中央部が開口部４となった四角枠状をした配線器具プレート枠１の対向する辺にそれぞれ、ＢＳタイプの埋め込みボックス４５の開口縁に設けたねじ孔４７に螺合したねじを緩めた状態で該ねじの頭部を入れることができる大径孔５と、該大径孔５に連通し大径孔５に入れたねじ４７の軸部が嵌め込まれてねじ締めするための弧状孔６とで構成し、上記第２の取付け部を、配線器具プレート枠１の対応する辺の下面部にそれぞれ突部９を突設し、突部９の内面部側に凹部１０を形成し、凹部１０の底面部に内側に行くにしたがって背方となるように下り傾斜した傾斜面１１を設け、傾斜面１１に連通するように突部９に内外に連通する孔１２を設け、傾斜面１１に突部９に設けたねじ孔１４を開口させ、孔にヘ字状をした取付け金具１３の一片１３ａを差し込んで該一片１３ａに設けた挿入孔１５に挿入したねじ１６を上記ねじ孔１４に螺合し、ねじ１６を緩めることでねじ１６の頭部が上記一片１３ａを押圧せず且つねじ１３を締め付けることで頭部により一片１３ａを傾斜面１１に押圧して他片１３ｂを外方に突出させるように構成して成るものであって、このような構成を採用することで上記した従来例の問題点を解決して本発明の目的を達成したものである。
【０００５】
【作用】
しかして、上記の構成の本発明によれば、ピアノハンドルを取付けた状態では、２個のピアノハンドルスイッチを備えた配線器具プレート枠を、第１の取付け部と第２の取付け部とを選択して使用することで、ＮＥＭＡ規格において分類されるＢＳタイプ、Ｃタイプのいずれの規格にも適応して取付けてＢＳタイプ、Ｃタイプのいずれにおいても２個のピアノハンドルスイッチとして利用でき、また、ピアノハンドルを取付けない状態では２個の押釦スイッチと同等の機能を有するものを第１の取付け部と第２の取付け部とを選択して使用することで、ＮＥＭＡ規格において分類されるＢＳタイプ、Ｃタイプのいずれの規格にも適応して取付けて２個の押釦スイッチとして利用でき、この結果、ＮＥＭＡ規格において分類されるＢＳタイプ、Ｃタイプのいずれの規格においても２個のピアノハンドルスイッチとして利用したり、あるいは２個の押釦スイッチとして利用したりできるものである。
【０００６】
【実施例】
以下本発明を添付図面に示す実施例に基づいて詳述する。本実施例のピアノハンドル式スイッチは、図１乃至図５に示すように単一のハウジングＡに２個のスイッチ機構部Ｂを組み込んだものである。単一のハウジングＡは合成樹脂製のボディ１０５ａとカバー１０５ｂとで形成されており、各々仕切り２０３、３０４により２つの室に仕切ってある。そして、カバー１０５ｂには、後述の取付け枠４０の係止孔４０ａに着脱自在に取付け可能とするために、両端面に一対の係止爪１１１を夫々突設してあり、一方の係止爪１１１の背部には空間１１２を形成し、係止爪１１１が背方へ弾性的にたわむようにしてある。従って、取付け枠４０の係止孔４０ａに係止爪１１１を係止させて押釦スイッチ１０５を着脱自在に取り付けることができるようにしてある。
【０００７】
この押釦スイッチ１０５のボディ１０５ａ内の２つの室にはそれぞれ共通端子板１１５、端子板１１８、１２０、各端子板に対応した鎖錠ばね及び解除釦からなる速結端子が収納してある。ここで、端子板１１８には固定接点１２５ａが固着してあり、端子板１２０にも固定接点１２５ｂが固着してある。
上記固定接点１２５ａ，１２５ｂの間には導電板からなる開閉体１２４が回動自在に立設してある。この開閉体１２４は、共通端子板１１５から延出された支持片１１５ａ上に立設され、両端下部に設けた図示しない突部を各室の内側壁に形成されたＶ状凹部１２７に嵌め込んで、Ｖ状凹部１２７の下部を中心に回動自在となっている。そして、開閉体１２４の上部両面に設けてある可動接点１２９を回動に応じて固定接点１２５ａ，１２５ｂに接離して、共通接続端子部と、第１または第２の接続端子部との間を接続，切離を行う。
【０００８】
上記開閉体１２４は、図示しないコイルスプリング、反転ハンドル１３１、押釦１３２、スライドカム１３３、復帰ばね１３７で構成された反転機構により反転駆動される。ここで、コイルスプリングは、下部が上記開閉体１２４の上縁に係止され、上部が反転ハンドル１３１に下方から突設してある筒部１３１ａ内に収められ、反転ハンドル１３１の回動に応じて開閉体１２４を反転駆動するものである。反転ハンドル１３１は、両側に設けた逆三角形状の軸１３１ｂをカバー１０５ｂの内壁に形成された図示しない軸受けに枢支して回動自在に取り付けられ、上部の両端にスライドカム１３３に掛合する掛合突起１３４を突設してある。押釦１３２はカバー１０５ｂに上下動自在に取り付けられ、下方に配置される復帰ばね３７により常時上方に付勢されている。スライドカム１３３は両端下面に上記反転ハンドル１３１の掛合突起１３４に摺動係合する掛合カム体１３８が形成され、押釦１３２の下面側において摺動自在に取り付けられ、内部に形成されたハ状の一対のばね片１３３ａの間に押釦１３２の下面に形成している突起１３２ａが挿入され、このばね片１３３ａで復帰力を与えている。
【０００９】
ピアノハンドル１４３は、枢支端側の下面から一対の回動片１４３ａを垂設すると共に、押圧操作端側の下面から押釦スイッチ１０５からの抜け止め用の一対の抜止片１４３ｂを垂設してある。上記回動片１４３ａはカバー１０５ｂに形成された支持部である凹部１５４に係合され、抜止片１４３ｂが空所１１２内に挿入され、抜止片１４３ｂ側の押圧操作端側を押圧すると、回動片１４３ａ側を支点としてピアノタッチ式に回動する。そして、このピアノハンドル１４３の回動により押釦スイッチ１０５の押釦１３２を押圧操作する。そして、このピアノハンドル１４３は平面視略半円形状をしており、図１２、図１３に示す半円形状のピアノハンドル１４３をそれぞれ上記のようにカバー１０５ｂに１対取付けることで、２個の半円形状のピアノハンドル１４３の並設した外形形状が円状となるようになっている。
【００１０】
上記のように単一のハウジングＡに２個のスイッチ機構部Ｂを並設して設けた本発明のピアノハンドルは図１０に示すような取付け枠４０に図５乃至図８のように取付けられる。すなわち取付け枠４０の係止孔４０ａにカバー１０５ｂに設けた係止爪１１１を係止することで取付けてある。取付け枠４０には更に、後述の配線器具プレート枠１の配線器具係止部１８に係止するための被係止部４０ｂが設けてある。
【００１１】
配線器具プレート枠１は図１１、図１６に示すように四角枠状をしており、中央部に四角の開口部４が形成してある。配線器具プレート枠１の４辺にはそれぞれの中央部にＮＥＭＡ規格において分類されているＢＳタイプの埋め込みボックス（イギリス及び旧イギリスの植民地における埋め込みボックス）に対応する第１の取付け部２が設けてある。すなわち、大径孔５と、この大径孔５に一端部が連通した弧状孔６とで第１の取付け部２が形成してある。配線器具プレート枠１の四隅部にはそれぞれ木ねじ固定用孔７が設けてあり、配線器具プレート枠１の各辺の両端部付近にそれぞれプレートカバー係止孔８が設けてある。配線器具プレート枠１の対向する一対の辺の下面部にはそれぞれ突部９が突設してあり、この突部９の内面部側は上方から切欠してあって凹部１０が形成してあり、この凹部１０の底面部は内側に行くにしたがって背方となるように下り傾斜した傾斜面１１となっており、傾斜面１１の前方側端部に連続するように突部９に内外に連通するように孔１２が設けてある。この傾斜面１１にはねじ孔１４が開口していて取付け金具取付け部３となっている。また、傾斜面１１には突部９に設けたねじ孔１４の端部が開口している。孔１２にはへ字状をした取付け金具１３の一片１３ａが差し込んであり、一片１３ａに設けた挿入孔１５にねじ１６を挿入し、ねじ１６をねじ孔１４に螺合してある。そして、ねじ１６を緩めることでねじ１６の頭部が一片１３ａを押圧せず、このため、取付け金具１３の他辺１３ｂは図６の実線に示すように外方に突出しないが、ねじ１６を締め付けて頭部により一片１３ａを傾斜面１１に押圧することで図６の破線に示すように先端に食い込み部１７を有する他片１３ｂが外方に突出して開くものである。そして、この取付け金具１３はＮＥＭＡ規格において分類されているＣタイプの規格（すなわちヨーロッパ及び旧ヨーロッパの植民地における規格）に適応しており、これがＣタイプに対応する第２の取付け部となっている。配線器具プレート枠１には更に配線器具係止部１８が設けてある。更に上記突部９を突設した方の一対の辺には凹部１０に対向してねじ操作用切り欠き部１９が設けてある。
【００１２】
図１４、図１５において２０はプレートカバーであって上記配線器具プレート枠１の前面側に配置して配線器具プレート枠１を覆うようにして取付けられるものであり、ハンドル用の開口部２１が設けてあり、開口部２１は円状となっている。このプレートカバー２０の背面部には上記した配線器具プレート枠１のプレートカバー係止孔８に係止自在とした係止脚部２２が突設してある。
【００１３】
しかして、本発明のピアノハンドルスイッチを取付けた取付け枠４０は被係止部４０ｂを配線器具プレート枠１に設けた配線器具係止部１８のうち背方側の配線器具係止部１８に係止して取付けられる。
上記のように配線器具プレート枠１にピアノハンドスイッチを組み込んた取付け枠４０を取付けた状態で、Ｃタイプの規格の国において埋め込みボックスを用いない場合、Ｃタイプに対応する第２の取付け部である取付け金具１３を用いて壁の凹部に取付け金具１３を圧接して取付けるものである。すなわち、ＮＥＭＡ規格においてＣタイプに分類される規格の国においては、Ｃタイプの規格の取付け金具１３を取付け金具取付け部３に取付け、ねじ１６を締め付けて頭部により一片１３ａを傾斜面１１に押圧することで図６の破線に示すように先端に食い込み部１７を有する他片１３ｂを外方に突出して開き、他片１３ｂの先端の食い込み部１７を壁に設けた凹部の内壁に食い込ませて取付けるものである。また、ＢＳタイプの規格の国において埋め込みボックスに上記配線器具プレート枠１を取付ける場合、第１の取付け部２を用いて取付けるものである。すなわち、図１７に示すようなＢＳタイプの埋め込みボックス４５を壁に埋め込み、この埋め込みボックス４５に上記配線器具プレート枠１を第１の取付け部２を用いて取付けるものである。この場合、図１７に示すように埋め込みボックス４５の開口縁にねじ孔４７を有する固定片４６を設けてあり、ねじ孔４７にねじを螺合しておき、ねじを緩めた状態でねじの頭部を大径孔５から入れ、弧状孔６をねじの軸部に嵌め込み、この状態でねじを締め付けることで取付けるものである。ちなみに図１７においてイは７５ｍｍ、ロは６０．３ｍｍ、ハは７５ｍｍであり、また、ニは２５ｍｍ、３５ｍｍ、４６ｍｍの各サイズがある。
【００１４】
そして、配線器具プレート枠１の表面側にはプレートカバー２０が係止脚部２２を配線器具プレート枠１のプレートカバー係止孔８に係止することで取付けられて、配線器具プレート枠１をプレートカバー２０により覆う。この場合、開口部２１に半円状のピアノハンドル１４３を２個並設したものが嵌め込まれる。
なお、埋め込みボックス４５を用いることなく木ねじ固定用孔７から木ねじ等を挿入して壁に直接固定するようにしてもよい。
【００１５】
ところで、配線器具プレート枠１にＣタイプの規格に対応する取付け金具１３を取付けることができるように突部９を設けて突部９間の距離（図１６においてＬで示す）が３３．２ｍｍとしたので、Ａタイプにおけるピアノハンドルスイッチ（Ａタイプの規格の国である日本のＪＩＳ規格のピアノハンドルスイッチ）の上下のモジュール寸法２３ｍｍのものを２個並べた場合には４６ｍｍとなって２個並べて取付けることができないが、本発明においては、上記のように単一のハウジングＡに２個のスイッチ機構部Ｂを組み込んだ構成とすることでＣタイプの規格に対応するように一対の取付け金具１３を取付けるために一対の突部９を設けても、２つのスイッチ機構部Ｂを備えたピアノハンドルを取付けることができるようになったものである。尚、図１６においてハッチングで示す部分が一対の突部９を設けた配線器具プレート枠１内における配線器具を取付けるための最大有効取付けエリアを示しており、このハッチングで囲ったエリアの外周線をＭで示している。図７、図９における符号Ｍもこの最大有効取付けエリアの外周線を示している。
【００１６】
次に、図１８乃至図２３に基づいてピアノハンドルスイッチの動作を簡単に説明する。なお、図１８はピアノハンドル１４３を何等操作していない状態であり、図２０はピアノハンドル１４３の押圧操作端を一杯に押した状態を示し、図１９はその途中における動作状態を示し、図２１はピアノハンドル１４３の押圧操作を解除してピアノハンドル１４３が復帰した状態を示し、図２３はピアノハンドル１４３の押圧操作端を再度一杯に押した状態を示し、図２２は図２１と図２３との途中における動作状態を示しており、図１８は図２３の状態でピアノハンドル１４３の押圧操作を解除してピアノハンドル１４３が復帰した状態を示している。いま、図１８の状態でピアノハンドル１４３を操作したとすると、図１９のようにピアノハンドル１４３の操作に伴って押釦１３２が復帰ばね３７に抗して押し下げられ、押釦１３２の押し下げによりスライドカム１３３が下降する。そして、スライドカム１３３の図中右側の掛合カム体１３８が、反転ハンドル１３１の右側の掛合突起１３４に当たることにより、反転ハンドル１３１が回動される。このとき、反転ハンドル１３１の回動に伴ってスライドカム１３３が図中の右側にスライドしている。このようにして反転ハンドル１３１が反転回動されると、コイルスプリングが反転して開閉体１２４が反転し、可動接点１２９が一方の固定接点１２５ｂから開離して、他方の固定接点１２５ａに接触する（図２０参照）。この反転後、ピアノハンドル１４３の押し下げ力を解除すると、図２１のように、復帰ばね３７で押釦１３２が押し上げられ、このときピアノハンドル１４３が元の状態に戻る。そして、これと同時にスライドカム１３３もばね片１３３ａのばね力で中央部に摺動復帰する。その後にもう１度図２２に示すようにピアノハンドル１４３を操作した場合には、図２３のように反転ハンドル１３１が上述の場合と逆方向に反転回動し、これにより可動接点１２９が固定接点１２５ｂに接触するように接点切換が行われ、ここでピアノハンドル１４３の押し下げ力を解除すると再び図１８の状態に戻るものである。
【００１７】
なお、ピアノハンドルスイッチには図３に示すように接点の切換や負荷のオン、オフ等を表示するためにネオンランプ２００を設け、このネオンランプ２００の光を図１２に示すようにピアノハンドル１４３に設けた表示窓２０１から表示するようにしてもよい。
【００１８】
【発明の効果】
本発明にあっては、上述のように、単一のハウジングに２個のスイッチ機構部を組み込んだ押釦スイッチのハウジングの押釦のある面側に設けた支持部に２個のピアノハンドルを取付けたピアノハンドルスイッチを取付け枠に取付け、取付け枠を、ＮＥＭＡ規格において分類されるＢＳタイプの埋め込みボックスに対応する第１の取付け部とＮＥＭＡ規格において分類されるＣタイプの規格に適応した第２の取付け部とを有する配線器具プレート枠に取付け、上記第１の取付け部を、中央部が開口部となった四角枠状をした配線器具プレート枠の対向する辺にそれぞれ、ＢＳタイプの埋め込みボックスの開口縁に設けたねじ孔に螺合したねじを緩めた状態で該ねじの頭部を入れることができる大径孔と、該大径孔に連通し大径孔に入れたねじの軸部が嵌め込まれてねじ締めするための弧状孔とで構成し、上記第２の取付け部を、配線器具プレート枠の対応する辺の下面部にそれぞれ突部を突設し、突部の内面部側に凹部を形成し、凹部の底面部に内側に行くにしたがって背方となるように下り傾斜した傾斜面を設け、傾斜面に連通するように突部に内外に連通する孔を設け、傾斜面に突部に設けたねじ孔を開口させ、孔にヘ字状をした取付け金具の一片を差し込んで該一片に設けた挿入孔に挿入したねじを上記ねじ孔に螺合し、ねじを緩めることでねじの頭部が上記一片を押圧せず且つねじを締め付けることで頭部により一片を傾斜面に押圧して他片を外方に突出させるように構成したので、ピアノハンドルを取付けた状態では、２個のピアノハンドルスイッチを備えた配線器具プレート枠を、第１の取付け部と第２の取付け部とを選択して使用することで、ＮＥＭＡ規格において分類されるＢＳタイプ、Ｃタイプのいずれの規格にも適応して取付けてＢＳタイプ、Ｃタイプのいずれにおいても２個のピアノハンドルスイッチとして利用でき、また、ピアノハンドルを取付けない状態では２個の押釦スイッチと同等の機能を有するものを第１の取付け部と第２の取付け部とを選択して使用することで、ＮＥＭＡ規格において分類されるＢＳタイプ、Ｃタイプのいずれの規格にも適応して取付けて２個の押釦スイッチとして利用でき、この結果、ＮＥＭＡ規格において分類されるＢＳタイプ、Ｃタイプのいずれの規格においても２個のピアノハンドルスイッチとして利用したり、あるいは２個の押釦スイッチとして利用したりできるものである。
【図面の簡単な説明】
【図１】本発明のピアノハンドルスイッチのピアノハンドルを省略した状態の平面図である。
【図２】同上の側面断面図である。
【図３】同上の平面図である。
【図４】同上の正面断面図である。
【図５】同上のピアノハンドルを取付けた状態の平面図である。
【図６】同上の配線器具プレート枠への取付け状態を示す概略側面図である。
【図７】同上の概略平面図である。
【図８】同上の概略正面図である。
【図９】同上の一対の突部とピアノハンドルとの位置関係を示す説明図である。
【図１０】同上に用いる取付け枠を示し、（ａ）は平面図であり、（ｂ）は正面図であり、（ｃ）は一部破断側面図である。
【図１１】同上に用いる配線器具プレート枠を示し、（ａ）は平面図であり、（ｂ）は一部破断正面図であり、（ｃ）は一部破断側面図である。
【図１２】同上に用いるピアノハンドルを示し、（ａ）は平面図であり、（ｂ）は正面図である。
【図１３】同上に用いる他のピアノハンドルを示し、（ａ）は平面図であり、（ｂ）は正面図である。
【図１４】同上に用いるプレートカバーを示し、（ａ）は平面図であり、（ｂ）は正面断面図であり、（ｃ）は一部破断側面図である。
【図１５】同上に用いる配線器具プレート枠とプレートカバーを示す斜視図である。
【図１６】同上の一対の突部間の距離を示す説明図である。
【図１７】同上に用いるＢＳタイプの埋め込みボックスを示し、（ａ）は平面図であり、（ｂ）は断面図である。
【図１８】同上のピアノハンドルスイッチの動作説明図である。
【図１９】同上のピアノハンドルスイッチの動作説明図である。
【図２０】同上のピアノハンドルスイッチの動作説明図である。
【図２１】同上のピアノハンドルスイッチの動作説明図である。
【図２２】同上のピアノハンドルスイッチの動作説明図である。
【図２３】同上のピアノハンドルスイッチの動作説明図である。
【符号の説明】
Ａ  ハウジング
Ｂ  スイッチ機構部
【図１】
0003559292.tif 000002
【図２】
0003559292.tif 000003
【図３】
0003559292.tif 000004
【図４】
0003559292.tif 000005
【図５】
0003559292.tif 000006
【図６】
0003559292.tif 000007
【図７】
0003559292.tif 000008
【図８】
0003559292.tif 000009
【図９】
0003559292.tif 000010
【図１０】
0003559292.tif 000011
【図１１】
0003559292.tif 000012
【図１２】
0003559292.tif 000013
【図１３】
0003559292.tif 000014
【図１４】
0003559292.tif 000015
【図１５】
0003559292.tif 000016
【図１６】
0003559292.tif 000017
【図１７】
0003559292.tif 000018
【図１８】
0003559292.tif 000019
【図１９】
0003559292.tif 000020
【図２０】
0003559292.tif 000021
【図２１】
0003559292.tif 000022
【図２２】
0003559292.tif 000023
【図２３】
0003559292.tif 000024